(57)【要約】【課題】妨害磁界の中でも磁気カードなどの磁気記録媒体が相対移動する際の磁界の変化を検出できる磁気ヘッドを提供すること。【解決手段】カードリーダ１のプリヘッド１５は、第１ギャップ３１を備える第１コア３２および第１コア３２に巻き回された第１コイル３４を備える第１ヘッド本体２９と、第２ギャップ５１を備える第２コア５２および第２コア５２に巻き回された第２コイル５４を備える第２ヘッド本体３０と、第１ヘッド本体２９と第２ヘッド本体３０を収納するヘッドケース２１を有する。第１ヘッド本体２９と第２ヘッド本体３０は第１ギャップ３１と第２ギャップ５１が前後方向Ｘ（磁気カード３の移動方向）に並ぶように配置される。プリヘッド１５は第１コイル３４からの第１信号と第２コイル５４からの第２信号との差となる差分信号を出力する。差分信号では妨害磁界１７の影響がキャンセルされる。【選択図】図３
2017182852.tif 000002
【特許請求の範囲】
【請求項１】
磁気記録媒体が相対移動する際の磁界の変化を検出する磁気ヘッドにおいて、
ギャップを備えるコアおよび前記コアに巻き回されたコイルを備える偶数個のヘッド本体と、
前記偶数個のヘッド本体を収納するヘッドケースと、を有し、
前記偶数個のヘッド本体は、各ヘッド本体の前記ギャップが前記磁気記録媒体の相対移動方向に並ぶように配列され、
偶数個の前記コイルは、直列に接続されているとともに、２つの前記コイル毎に組とされ、組とされた２つの前記コイルの間では互いの信号の差が出力されるように接続されており、
直列に接続された偶数個の前記コイルからなる回路の両端からの信号を出力することを特徴とする磁気ヘッド。
【請求項２】
請求項１において、
前記磁気記録媒体の相対移動方向から見た場合に、前記偶数個のヘッド本体の前記ギャップは重なることを特徴とする磁気ヘッド。
【請求項３】
請求項２において、
前記ヘッド本体として、第１ギャップを備える第１コアおよび前記第１コアに巻き回された第１コイルを備える第１ヘッド本体と、第２ギャップを備える第２コアおよび前記第２コアに巻き回された第２コイルを備える第２ヘッド本体と、を備え、
前記第１コイルと第２コイルとは、巻回方向を逆方向とした状態で直列に接続されていることを特徴とする磁気ヘッド。
【請求項４】
請求項３において、
前記第１コアおよび前記第２コアは、同一の部材であり、
前記第１コイルおよび前記第２コイルは、巻回方向を逆方向とした同一の部材であることを特徴とする磁気ヘッド。
【請求項５】
請求項４において、
前記第１コアおよび前記第２コアは、形状および材料が同一であり、
前記第１コイルおよび第２コイルは、コイル線の太さおよび巻回数が同一であることを特徴とする磁気ヘッド。
【請求項６】
請求項４または５において、
前記第１ヘッド本体と前記第２ヘッド本体とは、非磁性部材を間に挟んで接合されていることを特徴とする磁気ヘッド。
【請求項７】
請求項６において、
前記第１コアと前記第２コアのぞれぞれは、前記相対移動方向に厚さ方向を向けて前記相対移動方向と直交する直交方向に延びる平板状の第１腕部分、前記第１腕部分の前記直交方向の一方の端部から前記相対移動方向に延びており前記第１コイルまたは前記第２コイルが巻き回された巻回部分、および、前記第１腕部分における前記直交方向の他方の端部に対して前記第１ギャップまたは前記第２ギャップを開けて対向する対向部と前記巻回部分における前記第１腕部分とは反対側の端に接続された接続部とを備える第２腕部分を備え、
前記第１ヘッド本体と前記第２ヘッド本体とは、前記相対移動方向で前記第１コアの前記第１腕部分と前記第２コアの前記第１腕部分とを対向させるとともに、対向する２つの前記第１腕部分の間に前記非磁性部材を挟んで接合されていることを特徴とする磁気ヘッ
ド。
【請求項８】
請求項３から７のうちのいずれか一項において、
前記第１ヘッド本体と前記第２ヘッド本体とを有するヘッド本体組を、複数組備え、
前記複数組みのヘッド本体組は、前記相対移動方向と交差する方向に配列されていることを特徴とする磁気ヘッド。
【請求項９】
磁気トラックを備える磁気カードが挿入されるカード挿入口と、
前記磁気トラックから磁気情報を読み取るための磁気情報読取用磁気ヘッドと、
前記カード挿入口から前記磁気情報読取用磁気ヘッドによる読取位置を経由して延びるカード搬送経路と、
前記カード挿入口と前記読取位置との間に設定された検出位置と、
前記検出位置を移動する前記磁気カードによる磁界の変化を検出して当該磁気カードが前記カード挿入口に挿入されたことを検出するプリヘッドと、を有し、
前記プリヘッドは、ギャップを備えるコアおよび前記コアに巻き回されたコイルを備える偶数個のヘッド本体と、前記偶数個のヘッド本体を収納するヘッドケースと、を有し、前記偶数個のヘッド本体は、各ヘッド本体の前記ギャップが前記磁気カードの相対移動方向に並ぶように配列され、偶数個の前記コイルは、直列に接続されているとともに、２つの前記コイル毎に組とされ、組とされた２つの前記コイルの間では互いの信号の差が出力されるように接続されており、直列に接続された偶数個の前記コイルからなる回路の両端からの信号を出力することを特徴とするカードリーダ。
【請求項１０】
請求項９において、
前記カード挿入口と前記検出位置を含む領域に磁界を発生させる磁界発生器、を有することを特徴とするカードリーダ。
【発明の詳細な説明】
【技術分野】
【０００１】
本発明は、磁気カードなどの磁気記録媒体が通過した際の磁界の変化を検出する磁気ヘッドに関する。また、カード挿入口に磁気カードが挿入されたか否かを磁気ヘッドにより検出するカードリーダに関する。
【背景技術】
【０００２】
磁気トラックを有する磁気カードから磁気情報を読み取るカードリーダは特許文献１に記載されている。同文献のカードリーダは、カード挿入口と、磁気ヘッドと、カード挿入口から磁気ヘッドによる読取位置を経由して延びるカード搬送経路と、カード搬送経路に沿って磁気カードを搬送する搬送機構を備える。また、カードリーダは、磁気カードがカード挿入口に挿入されたことを磁気的に検出するプリヘッドを備える。プリヘッドによる検出位置はカード挿入口と読取位置の間に設定されている。
【０００３】
プリヘッドからの出力に基づいて磁気カードがカード挿入口に挿入されたことが検出されると、カードリーダは、搬送機構を駆動して、磁気カードをカード搬送経路に沿って搬送する。そして、カードリーダは、磁気カードが読取位置を通過する際の磁気ヘッドからの出力に基づいて、磁気カードの磁気情報を取得する。
【先行技術文献】
【特許文献】
【０００４】
【特許文献１】特開２０１０−２０５１８７号公報
【発明の概要】
【発明が解決しようとする課題】
【０００５】
近年、カード挿入口の近傍に不正の目的で磁気ヘッドを取り付けて、カード挿入口からカード搬送経路に挿入される磁気カードから磁気情報を取得するスキミングが問題となっている。
【０００６】
スキミングに対しては、カード挿入口の近傍に妨害磁界を発生させて、不正の目的で取り付けられた磁気ヘッドによる磁気情報の読み取りを阻止する対策が施されることがある。しかし、カード挿入口の近傍に妨害磁界を発生させた場合には、プリヘッドが妨害磁界の影響を受けてしまい、磁気カードのカード挿入口への挿入を精度よく検出できなくなるという問題が発生する。
【０００７】
以上の問題点に鑑みて、本発明の課題は、妨害磁界の中でも磁気カードなどの磁気記録媒体が相対移動する際の磁界の変化を検出できる磁気ヘッドを提供することにある。また、このような磁気ヘッドをプリヘッドとして用いたカードリーダを提供することにある。
【課題を解決するための手段】
【０００８】
上記課題を解決するために、本発明は、磁気記録媒体が相対移動する際の磁界の変化を検出する磁気ヘッドにおいて、ギャップを備えるコアおよび前記コアに巻き回されたコイルを備える偶数個のヘッド本体と、前記偶数個のヘッド本体を収納するヘッドケースと、を有し、前記偶数個のヘッド本体は、各ヘッド本体の前記ギャップが前記磁気記録媒体の相対移動方向に並ぶように配列され、偶数個の前記コイルは、直列に接続されているとともに、２つの前記コイル毎に組とされ、組とされた２つの前記コイルの間では互いの信号の差が出力されるように接続されており、直列に接続された偶数個の前記コイルからなる回路の両端からの信号を出力することを特徴とする。
【０００９】
本発明によれば、磁気ヘッドは、磁気記録媒体が相対移動する際の磁界の変化を、相対移動方向に配列された偶数個のヘッド本体の各ギャップにおいて検出する。ここで、磁気ヘッドが妨害磁界の中に位置する場合には、偶数個のヘッド本体の各コイルからの信号のそれぞれに妨害磁界に起因する信号が重畳する。これに対して、磁気ヘッドでは、偶数個のコイルは直列に接続されるとともに、２つのコイルが組とされ、組とされた２つのコイルの間で互いの差が出力されるように接続されている。従って、組とされた２つのコイルの間では、一方のコイルからの信号に重畳した妨害磁界に起因する信号と、他方のコイルからの信号に重畳した妨害磁界に起因する信号とがキャンセルされる。よって、直列に接続された偶数個の前記コイルからなる回路の両端から信号を出力すれば、磁気ヘッドは、妨害磁界の中であっても、磁気記録媒体が相対移動する際の磁界の変化を精度よく検出できる。また、磁気ヘッドから出力される信号は、磁気記録媒体が相対移動した際の磁界の変化をそのまま出力するものではない。従って、磁気ヘッドから出力される信号を不正な手段によって取り出して磁気記録媒体に担持されている磁気情報を取得しようとしても、磁気情報の取得は困難である。
【００１０】
本発明において、前記磁気記録媒体の相対移動方向から見た場合に、前記偶数個のヘッド本体の前記ギャップは重なることが望ましい。このようにすれば、磁気記録媒体が磁気ストライプを備える磁気カードなどの場合に、偶数個のヘッド本体によって、磁気カード（磁気ストライプ）の移動に起因する磁界の変化を検出できる。
【００１１】
本発明において、前記ヘッド本体として、第１ギャップを備える第１コアおよび前記第１コアに巻き回された第１コイルを備える第１ヘッド本体と、第２ギャップを備える第２コアおよび前記第２コアに巻き回された第２コイルを備える第２ヘッド本体と、を備え、前記第１コイルと第２コイルとは、巻回方向を逆方向とした状態で直列に接続されているものとすることができる。このようにすれば、直列に接続された前記第１コイルと前記第２コイルとからなる回路の両端からは、第１コイルからの第１信号と第２コイルからの第２信号との差となる差分信号が出力される。差分信号では、第１コイルからの信号に重畳した妨害磁界に起因する信号と、第２コイルからの信号に重畳した妨害磁界に起因する信号とがキャンセルされているので、磁気ヘッドは、妨害磁界の中であっても、磁気記録媒体が相対移動する際の磁界の変化を精度よく検出できる。
【００１２】
本発明において、前記第１コアおよび前記第２コアは、同一の部材であり、前記第１コイルおよび前記第２コイルは、巻回方向を逆方向とした同一の部材であることが望ましい。
【００１３】
この場合において、前記第１コアおよび前記第２コアは、形状および材料が同一であり、前記第１コイルおよび第２コイルは、コイル線の太さおよび巻回数が同一であるものとすることができる。このようにすれば、直列に接続された前記第１コイルと前記第２コイルの両端から妨害磁界に起因する信号をキャンセルした差分信号を出力できる。
【００１４】
本発明において、前記第１ヘッド本体と前記第２ヘッド本体とは、非磁性部材を間に挟んで接合されていることが望ましい。このようにすれば、ヘッドケース内において、前記第１ヘッド本体と前記第２ヘッド本体との位置関係が崩れることがない。
【００１５】
本発明において、前記第１コアと前記第２コアのぞれぞれは、前記相対移動方向に厚さ方向を向けて当該相対移動方向と直交する直交方向に延びる平板状の第１腕部分、前記第１腕部分の前記直交方向の一方の端部から前記相対移動方向に延びており前記第１コイルまたは前記第２コイルが巻き回された巻回部分、および、前記第１腕部分における前記直交方向の他方の端部に対して前記第１ギャップまたは前記第２ギャップを開けて対向する
対向部と前記巻回部分における前記第１腕部分とは反対側の端に接続された接続部とを備える第２腕部分を備え、前記第１ヘッド本体と前記第２ヘッド本体とは、前記相対移動方向で前記第１コアの前記第１腕部分と前記第２コアの前記第１腕部分とを対向させるとともに、対向する２つの前記第１腕部分の間に前記非磁性部材を挟んで接合されていることが望ましい。このようにすれば、第１腕部分と第２腕部分が非磁性部材を介して隣り合う位置に配置されるので、第１ギャップと第２ギャップとが比較的に近い位置に配置される。ここで、磁界の変化を検出ための第１ギャップと第２ギャップが近い位置にあれば、第１コイルから出力される第１信号に重畳された妨害磁界に起因する信号と、第２コイルから出力される第２信号に重畳された妨害磁界に起因する信号とが同様のものとなる。従って、差分信号において、妨害磁界に起因する信号をキャンセルしやすい。
【００１６】
本発明において、前記第１ヘッド本体と前記第２ヘッド本体とを有するヘッド本体組を、複数組備え、前記複数組みのヘッド本体組は、前記相対移動方向と交差する方向に配列されているものとすることができる。このようにすれば、磁気ヘッドはヘッド本体組の組数に対応する数の磁界読取用のチャンネルを備えるものとなる。
【００１７】
次に、本発明のカードリーダは、磁気トラックを備える磁気カードが挿入されるカード挿入口と、前記磁気トラックから磁気情報を読み取るための磁気情報読取用磁気ヘッドと、前記カード挿入口から前記磁気情報読取用磁気ヘッドによる読取位置を経由して延びるカード搬送経路と、前記カード挿入口と前記読取位置との間に設定された検出位置と、前記検出位置を移動する前記磁気カードによる磁界の変化を検出して当該磁気カードが前記カード挿入口に挿入されたことを検出するプリヘッドと、を有し、前記プリヘッドは、ギャップを備えるコアおよび前記コアに巻き回されたコイルを備える偶数個のヘッド本体と、前記偶数個のヘッド本体を収納するヘッドケースと、を有し、前記偶数個のヘッド本体は、各ヘッド本体の前記ギャップが前記磁気カードの相対移動方向に並ぶように配列され、偶数個の前記コイルは、直列に接続されているとともに、２つの前記コイル毎に組とされ、組とされた２つの前記コイルの間では互いの信号の差が出力されるように接続されており、直列に接続された偶数個の前記コイルからなる回路の両端からの信号を出力することを特徴とする。
【００１８】
本発明のカードリーダでは、カード挿入口の近傍に妨害磁界が発生している場合でも、プリヘッドから出力される信号について妨害磁界に起因する信号をキャンセルできる。従って、プリヘッドは、妨害磁界の中であっても磁気カードのカード挿入口への挿入を精度よく検出できる。さらに、プリヘッドから出力される信号は、磁気カードが検出位置を通過する際の磁界の変化をそのまま出力するものではない。従って、プリヘッド出力される信号を不正な手段によって取り出して磁気記録媒体に担持されている磁気情報を取得しようとしても、磁気情報の取得は困難である。
【００１９】
本発明において、前記カード挿入口と前記検出位置を含む領域に磁界を発生させる磁界発生器、を有するものとすることができる。このようにすれば、カード挿入口の近傍に妨害磁界（磁界）を発生させることができる。従って、カード挿入口の近傍に不正の目的で磁気情報読取用磁気ヘッドが取り付けられた場合でも、当該磁気情報読取用磁気ヘッドによって磁気情報が読み取られることを防止できる。
【発明の効果】
【００２０】
本発明によれば、磁気ヘッドは、妨害磁界の中であっても磁気記録媒体が相対移動する際の磁界の変化を精度よく検出できる。従って、本発明の磁気ヘッドをプリヘッドとして搭載するカードリーダは、磁気カードのカード挿入口への挿入を精度よく検出できる。
【図面の簡単な説明】
【００２１】
【図１】本発明の実施の形態のカードリーダの説明図と磁気カードの説明図である。
【図２】図１に示すカードリーダのプリヘッドの底面図および側面図である。
【図３】図２のＣ−Ｃ線におけるプリヘッドの断面図である。
【図４】変形例のプリヘッドの断面図である。
【発明を実施するための形態】
【００２２】
以下、図面を参照しながら、本発明の実施の形態の磁気ヘッドおよび当該磁気ヘッドをプリヘッドとして搭載するカードリーダを説明する。
【００２３】
（全体構成）
図１（ａ）は本発明の実施の形態にかかるカードリーダの説明図であり、図１（ｂ）はカードリーダによって磁気情報が読み取られる磁気カードの説明図である。本形態のカードリーダ１は、磁気ストライプ２を備える磁気カード（磁気記録媒体）３を読み取って磁気ストライプ２に担持された磁気情報を取得する。カードリーダ１は、カード挿入口５と、磁気情報読取用磁気ヘッド６と、カード挿入口５からプリヘッド１５による読取位置Ａを経由して延びるカード搬送経路７と、カード挿入口５に挿入された磁気カード３をカード搬送経路７に沿って搬送する搬送機構８を備える。磁気情報読取用磁気ヘッド６は、センサ面６ａをカード搬送経路７の側に向けて配置されている。搬送機構８は磁気カード３を間に挟んで搬送する２組の搬送ローラー対９を備える。各組の搬送ローラー対９は読取位置Ａの上流側および下流側にそれぞれ配置されている。また、搬送機構８は、搬送ローラー対９の駆動源として搬送モータ１０を備える。
【００２４】
また、カードリーダ１は、カード搬送経路７におけるカード挿入口５と読取位置Ａとの間に設定された検出位置Ｂと、検出位置Ｂにおいて磁気カード３がカード挿入口５に挿入されたことを磁気的に検出するプリヘッド（本発明の磁気ヘッド）１５と、カード搬送経路７におけるカード挿入口５と読取位置Ａの間に妨害磁界を発生させる磁界発生器１６を備える。検出位置Ｂは読取位置Ａよりもカード挿入口５に近い位置に設定されている。プリヘッド１５は、そのセンサ面１５ａをカード搬送経路７の側に向けて配置されている。
【００２５】
カードリーダ１は、プリヘッド１５からの出力に基づいて磁気カード３がカード挿入口５に挿入されたことを検出すると、搬送モータ１０を駆動して搬送機構８を動作させる。これにより、磁気カード３はカード搬送経路７に沿って搬送されて読取位置Ａを通過する。磁気カード３が読取位置Ａを通過する際には磁気ストライプ２が磁気情報読取用磁気ヘッド６のセンサ面６ａに摺接する。これにより、磁気情報読取用磁気ヘッド６は、磁気カード３がセンサ面６ａを移動する際の磁界の変化を検出して、磁気カード３に担持された磁気情報を出力する。
【００２６】
磁界発生器１６はスキミング対策のために設置されている。すなわち、磁界発生器１６は、カード挿入口５および検出位置Ｂを含む領域に妨害磁界１７を発生させる。これにより、カードリーダ１は、カード挿入口５の近傍に不正の目的で取り付けられた磁気情報読取用磁気ヘッドによって、カード挿入口５からカード搬送経路７に挿入される磁気カード３から磁気情報が取得されることを防止する。
【００２７】
（プリヘッド）
図２（ａ）はプリヘッド１５をセンサ面１５ａの側から見た場合の底面図であり、図２（ｂ）はプリヘッド１５を磁気カード３が通過する通過方向から見た場合の側面図である。図２（ｂ）では、プリヘッド１５を第２方向Ｘ２の側から見ている。図３は図２（ａ）のＣ−Ｃ線におけるプリヘッドの断面図である。なお、以下の説明では、図１に示すように、センサ面１５ａが下方を向く姿勢をプリヘッド１５の基準の姿勢とし、当該基準の姿勢における上下方向をプリヘッド１５の上下方向（直交方向）Ｚとする。また、上下方向
Ｚと直交する方向であって、カード搬送経路７を搬送される磁気カード３がプリヘッド１５のセンサ面１５ａを通過する通過方向を磁気センサの前後方向（相対移動方方向）Ｘとする。さらに、上下方向Ｚおよび前後方向Ｘ（磁気カード３とプリヘッド１５の相対移動方向）と直交する方向をプリヘッド１５の幅方向（通過方向と交差する方向）Ｙとする。また、プリヘッド１５の前後方向Ｘの一方側を第１方向Ｘ１とし、他方側を第２方向Ｘ２とする。例えば、第１方向Ｘ１はカード挿入口５が位置する方向であり、第２方向Ｘ２は磁気情報読取用磁気ヘッド６が位置する方向である。
【００２８】
プリヘッド１５は、磁気カード３の磁気ストライプ２に形成される３本の磁気トラック１１のうちの２本を検出する２チャンネル型の磁気ヘッドである。図２に示すように、プリヘッド１５は、ヘッドケース２１と、各磁気トラック１１が検出位置Ｂを移動する際の磁界の変化を検出する２つのヘッド本体組２２を備える。２つのヘッド本体組２２は幅方向Ｙに配列されている。
【００２９】
ヘッドケース２１はパーマロイなどの軟磁性材料からなる。ヘッドケース２１は、センサ面１５ａを規定する矩形の底板部分２５と、底板部分２５の外周縁から上方Ｚ２に延びる角筒部分２６を備える。底板部分２５は前後方向Ｘの中央部分が外側に突出する湾曲形状である。底板部分２５における前後方向Ｘの中央部分には２つのセンサ面開口部２７が設けられている。２つのセンサ面開口部２７は前後方向Ｘに延びる長穴であり、幅方向Ｙに配列されている。角筒部分２６の底板部分２５とは反対側の端（上端）は、ヘッドケース２１に２つのヘッド本体組２２を挿入するための開口部２８となっている。
【００３０】
図３に示すように、各ヘッド本体組２２は、非磁性部材２３と、非磁性部材２３を間に挟んで前後方向Ｘに接合された第１ヘッド本体２９および第２ヘッド本体３０を備える。
【００３１】
非磁性部材２３は、一定厚さを備える板状の部材であり、その厚さ方向を前後方向Ｘに向けている。非磁性部材２３は、例えば、アルミ板である。第１ヘッド本体２９は非磁性部材２３の第１方向Ｘ１の側に位置し、第２ヘッド本体３０は非磁性部材２３の第２方向Ｘ２の側に位置する。
【００３２】
第１ヘッド本体２９は、第１ギャップ３１を備える第１コア３２と、当該第１コア３２に第１コイルボビン３３を介して巻き回された第１コイル３４と、第１コイル３４の第１方向Ｘ１の端に接続された第１一方側端子３５と、第１コイル３４の第２方向Ｘ２の端に接続された第１他方側端子３６を備える。
【００３３】
第１コア３２は、前後方向Ｘに厚さ方向を向けて上下方向Ｚに延びる平板状の第１腕部分３８と、第１腕部分３８の上端部から第１方向Ｘ１に向かって延びており、第１コイル３４が巻き回されている巻回部分３９と、第１腕部分３８の下端部と第１ギャップ３１を開けて対向する対向部４０および巻回部分３９における第１腕部分３８とは反対側の端（第１方向Ｘ１の端）に接続された接続部４１を有する第２腕部分４２を備える。巻回部分３９は、棒状であり、矩形の断面形状を備える。第２腕部分４２は、巻回部分３９の第１方向Ｘ１の端部から下方Ｚ１に延びる第１延設部４３、第１延設部４３の下端部から第２方向Ｘ２に延びる第２延設部４４、第２延設部４４の第２方向Ｘ２の端部から下方Ｚ１に延びる第３延設部４５、および、第３延設部４５の下端部から第２方向Ｘ２に突出する突出部４６を備える。第１延設部４３の上端部は接続部４１であり、突出部４６は対向部４０である。
【００３４】
第１コイル３４は第１コイルボビン３３を介して巻回部分３９に巻き回されている。第１コイル３４はその中心軸線を前後方向Ｘに向けている。第１一方側端子３５は第１コイルボビン３３の第１方向Ｘ１の端部に固定されている。第１他方側端子３６は第１コイル
ボビン３３の第２方向Ｘ２の端部に固定されている。第１一方側端子３５と第１他方側端子３６とは平行であり、第１一方側端子は第１他方側端子よりも上方Ｚ２に長く延びる。
【００３５】
第２ヘッド本体３０は、第２ギャップ５１を備える第２コア５２と、当該第２コア５２に第２コイルボビン５３を介して巻き回された第２コイル５４と、第２コイル５４の第１方向Ｘ１の端に接続された第２一方側端子５５と、第２コイル５４の第２方向Ｘ２の端に接続された第２他方側端子５６を備える。
【００３６】
第２コア５２は、前後方向Ｘに厚さ方向を向けて上下方向Ｚに延びる平板状の第１腕部分５８と、第１腕部分５８の上端部から第２方向Ｘ２に向かってに延びており第２コイル５４が巻き回された巻回部分５９と、第１腕部分５８における下端部とギャップを開けて対向する対向部６０および巻回部分５９における第１腕部分５８とは反対側の端（第２方向Ｘ２の端）に接続された接続部６１を有する第２腕部分６２を備える。巻回部分５９は、棒状であり、矩形の断面形状を備える。第２腕部分６２は、巻回部分５９の第２方向Ｘ２の端部から下方Ｚ１に延びる第１延設部６３、第１延設部６３の下端部から第１方向Ｘ１に延びる第２延設部６４、第２延設部６４の第１方向Ｘ１の端部から下方Ｚ１に延びる第３延設部６５、および、第３延設部６５の下端部から第１方向Ｘ１に突出する突出部６６を備える。第１延設部４３の上端部は接続部６１であり、突出部６６は対向部６０である。
【００３７】
第２コイル５４は、第２コイルボビン５３を介して巻回部分５９に巻き回されている。第２コイル５４はその中心軸線を前後方向Ｘに向けている。第２コイル５４の巻回方向は第１ヘッド本体２９の第１コイル３４の巻回方向とは反対方向である。第２一方側端子５５は第２コイルボビン５３の第１方向Ｘ１の端部に固定されている。第２他方側端子５６は第２コイルボビン５３の第２方向Ｘ２の端部に固定されている。第２一方側端子５５および第２他方側端子５６は平行であり、第２他方側端子５６は第２一方側端子５５よりも上方Ｚ２に長く延びる。
【００３８】
第１ヘッド本体２９と第２ヘッド本体３０とは、第１コア３２の第１腕部分３８と第２コア５２の第１腕部分５８とを前後方向Ｘで対向させ、第１腕部分３８と第１腕部分５８の間に非磁性部材２３を挟んで接合される。これにより、第１ヘッド本体２９と第２ヘッド本体３０は前後方向Ｘに並んで配置される。従って、前後方向Ｘ（磁気カード３とプリヘッド１５の相対移動方向）から見た場合に、第１ヘッド本体２９の第１ギャップ３１と第２ヘッド本体３０の第２ギャップ５１は重なる。また、第１ヘッド本体２９の第１ギャップ３１と第２ヘッド本体３０の第２ギャップ５１が前後方向Ｘの比較的近い位置に並んで配置される。
【００３９】
第１ヘッド本体２９の第１他方側端子３６と第２ヘッド本体３０の第２一方側端子５５とはリード線７０により電気的に接続される。これにより、第１コイル３４と第２コイル５４とは巻回方向を反対方向とした状態で直列に接続される。プリヘッド１５からは、直列に接続した第１コイル３４と第２コイル５４とからなる回路５０の両端から信号が出力される。
【００４０】
図２に示すように、ヘッドケース２１内において、２つのヘッド本体組２２は幅方向Ｙに配列される。これにより、ヘッドケース２１の底板部分２５に設けられた各センサ面開口部２７からは、各ヘッド本体組２２の第１ギャップ３１および第２ギャップ５１がヘッドケース２１の外側に露出する。ヘッドケース２１の内部には樹脂が充填される。
【００４１】
（プリヘッドによる磁気カードの検出）
図１に示すように、カード挿入口５に磁気カード３が挿入されると、検出位置Ｂにおい
て、磁気ストライプ２がプリヘッド１５のセンサ面１５ａに摺接する。磁気ストライプ２がセンサ面１５ａを移動すると、プリヘッド１５は、磁気ストライプ２が各ヘッド本体組２２の第１ギャップ３１および第２ギャップ５１を通過する際の磁界の変化を検出して、各ヘッド本体組２２の第１一方側端子３５と第２他方側端子５６とから検出信号を出力する。
【００４２】
検出信号が出力されると、カードリーダ１は当該検出信号に基づいて、カード挿入口５に磁気カード３が挿入されたか否かを判断する。そして、カードリーダ１は、磁気カード３が挿入されたと判断した場合に搬送モータ１０を駆動する。これにより、磁気カード３は読取位置Ａを経由するカード搬送経路７に沿って搬送される。磁気情報読取用磁気ヘッド６は、磁気カード３が読取位置Ａを通過する際の磁界の変化を検出して、磁気トラック１１から磁気情報を取得する。
【００４３】
ここで、本例では、磁界発生器１６が、カード挿入口５および検出位置Ｂを含む領域に妨害磁界１７を発生させている。従って、プリヘッド１５から出力される検出信号に妨害磁界１７に起因する信号が含まれていると、プリヘッド１５からの検出信号に基づいて、磁気カード３が挿入されたか否かを正確に判断することができなくなるという問題が発生する。
【００４４】
かかる問題に対して、プリヘッド１５は、磁気カード３が検出位置Ｂを移動する際の磁界の変化を磁気カード３の移動方向（前後方向Ｘ）に配列された第１ヘッド本体２９と第２ヘッド本体３０によって検出する。また、第１ヘッド本体２９の第１コア３２に巻き回された第１コイル３４の巻回方向と第２ヘッド本体３０の第２コア５２に巻き回された第２コイル５４の巻回方向とは逆方向であり、これら第１コイル３４と第２コイルとは直列に接続されている。従って、第１コイル３４における第２コイル５４とは反対側の端に接続された第１一方側端子３５、および、第２コイル５４における第１コイル３４とは反対側の端に接続された第２他方側端子５６から出力される検出信号は、第１ヘッド本体２９の第１コイル３４からの第１信号と、第２ヘッド本体３０の第２コイル５４からの第２信号との差となる差分信号となる。
【００４５】
ここで、プリヘッド１５が妨害磁界１７の中に位置する場合には、第１コイル３４からの第１信号および第２コイル５４からの第２信号のそれぞれに妨害磁界１７に起因する信号が重畳するが、プリヘッド１５から出力される検出信号は、第１信号と第２信号の差である差分信号である。従って、プリヘッドから出力される検出信号（差分信号）では、妨害磁界１７に起因する信号、すなわち第１信号および第２信号の双方に重畳した信号はキャンセルされている。よって、プリヘッド１５は、妨害磁界１７の中であっても磁気カード３が検出位置Ｂを移動する際の磁界の変化を精度よく検出できる。従って、カードリーダ１は磁気カード３がカード挿入口５に挿入されたか否かを正確に判断できる。
【００４６】
また、プリヘッド１５から出力される検出信号（差分信号）は、第１信号と第２信号の差であって、磁気カード３が検出位置Ｂを移動する際の磁界の変化をそのまま出力するものではない。従って、プリヘッド１５から出力される検出信号を不正な手段によって取り出して磁気カード３に担持されている磁気情報を取得しようとしても、磁気情報の取得は困難である。
【００４７】
さらに、本例では、各ヘッド本体組２２を構成する第１ヘッド本体２９と第２ヘッド本体３０は、同一のコアおよび同一のコイルを用いて構成されている。また、第１ヘッド本体２９の第１ギャップ３１と第２ヘッド本体３０の第２ギャップ５１とは比較的近い位置に配置されている。ここで、第１ヘッド本体２９と第２ヘッド本体３０が同一のコアおよび同一のコイルを用いて構成されていれば、第１コイル３４からの第１信号と第２コイル
５４からの第２信号は同様の信号となる。また、磁界の変化を検出する第１ギャップ３１と第２ギャップ５１が近い位置にあれば、第１コイル３４から出力される第１信号に重畳された妨害磁界１７に起因する信号と、第２コイル５４から出力される第２信号に重畳された妨害磁界１７に起因する信号とが同様の信号となる。従って、第１コイル３４から出力される第１信号と第２コイル５４から出力される第２信号との差をとれば、妨害磁界１７に起因する信号をキャンセルできる。
【００４８】
また、本例では、第１ヘッド本体２９と第２ヘッド本体３０とは非磁性部材２３を間に挟んで接合されている。従って、ヘッドケース２１内において第１ヘッド本体２９と第２ヘッド本体３０との位置関係が崩れることがない。
【００４９】
ここで、非磁性部材２３はセラミック製の板材としてもよい。この場合には、非磁性部材２３としてアルミ板を用いる場合と比較して、プリヘッド１５の耐摩耗性を向上させることができる。
【００５０】
なお、上記の例では、各ヘッド本体組２２は、２個のヘッド本体（第１ヘッド本体２９と第２ヘッド本体３０）を備えるが、ヘッドケース２１に収納される各ヘッド本体組２２に４以上の偶数個のヘッド本体を備えてもよい。
【００５１】
図４はヘッド本体組２２が４個のヘッド本体を備えるプリヘッドの断面図である。本例のプリヘッド８０は、前後方向（相対移動方向）Ｘにおける第１ヘッド本体２９と第２ヘッド本体３０の間に、前後方向Ｘに配列された第３ヘッド本体８３と第４ヘッド本体８４を備える。
【００５２】
第３ヘッド本体８３は、第３ギャップ８５を備える第３コア８６と、当該第３コア８６に第３コイルボビン８７を介して巻き回された第３コイル８８と、第３コイル８８の第１方向Ｘ１の端に接続された第３一方側端子８９と、第３コイル８８の第２方向Ｘ２の端に接続された第３他方側端子９０を備える。第４ヘッド本体８４は、第４ギャップ９１を備える第４コア９２と、当該第４コア９２に第４コイルボビン９３を介して巻き回された第４コイル９４と、第４コイル９４の第１方向Ｘ１の端に接続された第４一方側端子９５と、第４コイル９４の第２方向Ｘ２の端に接続された第４他方側端子９６を備える。前後方向Ｘ（磁気カード３とプリヘッド１５の相対移動方向）から見た場合に、第１ヘッド本体２９の第１ギャップ３１、第２ヘッド本体３０の第２ギャップ５１、第３ヘッド本体８３の第３ギャップ８５、および、第４ヘッド本体８４は、第４ギャップ９１は重なる。
【００５３】
第３コア８６および第４コア９２は同一の部材である。すなわち、第３コア８６および第４コア９２は同一の磁性材料から形成されている。第３コア８６および第４コア９２は同一の形状を備える。また、第３コイル８８および第４コイル５４は巻回方向を逆方向とした同一の部材である。すなわち、第３コイル８８および第４コイル５４は、コイル線の太さおよび巻回数が同一である。
【００５４】
ここで、第３ヘッド本体８３の第３一方側端子８９は、第１ヘッド本体２９の第１他方側端子３６とリード線７０により電気的に接続される。第３ヘッド本体８３の第３他方側端子９０と、第４ヘッド本体８４の第４一方側端子９５はリード線７０により電気的に接続される。さらに、第４ヘッド本体８４の第４他方側端子９６は、第２ヘッド本体３０の第２一方側端子５５とリード線７０により電気的に接続される。すなわち、４個のヘッド本体２９、３０、８３、８４の各コイル３４、５４、８８、９４は直列に接続されている。また、第１ヘッド本体２９の第１コイル３４と第２ヘッド本体３０の第２コイル５４とは組とされ、組とされた２つのコイル３４、５４の間で互いの信号の差が出力されるように接続されている。すなわち、第１コイル３４と第２コイル５４は、巻回方向が逆とされ
て直列に接続されている。同様に第３ヘッド本体８３の第３コイル８８と第４ヘッド本体８４のコイル９４は組とされ、組とされた２つのコイル８８、９４の間で互いの信号の差が出力されるように接続されている。すなわち、第３コイル８８と第４コイル９４は巻回方向が逆とされて直列に接続されている。そして、プリヘッド８０は、第１コイル３４、第２コイル５４、第３コイル８８および第４コイル６４からなる回路９８の両端である、第１ヘッド本体２９の第１一方側端子３５と、第２ヘッド本体３０の第２他方側端子５６とから信号を出力する。
【００５５】
本例においても、組とされた２つのコイルの間（第１コイル３４と第２コイル５４との間、第３コイル８８と第４コイル９４との間）で、一方のコイルからの信号に重畳した妨害磁界に起因する信号と、他方のコイルからの信号に重畳した妨害磁界に起因する信号とがキャンセルされる。よって、直列に接続された複数のコイル３４、５４、８８、９４からなる回路９８の両端から信号を出力すれば、プリヘッド１５は、妨害磁界の中であっても、磁気カード３が相対移動する際の磁界の変化を精度よく検出できる。
【００５６】
なお、プリヘッド８０において、第１コイル３４と第２コイル５４の巻回方向が逆方向であり、第３コイル８８と第４コイル６４の巻回方向が逆であれば、第１コイル３４と第３コイル８８の巻回方向は、同一方向でも、逆方向でもよい。従って、例えば、上記のプリヘッド８０において、第１ヘッド本体２９の第１他方側端子３６と第３ヘッド本体８３の第３他方側端子９０とを接続し、第３ヘッド本体８３の第３一方側端子８９と第４ヘッド本体８４の第４一方側端子９５とを接続し、第４ヘッド本体８３の第４他方側端子９６と第２ヘッド本体３０の第２他方側端子５６とを接続し、第１ヘッド本体２９の第１一方側端子３５と、第２ヘッド本体３０の第２一方側端子５５から、信号を出力することもできる。
【符号の説明】
【００５７】
１・・・カードリーダ
３・・・磁気カード（磁気記録媒体）
５・・・カード挿入口
６・・・磁気情報読取用磁気ヘッド
７・・・カード搬送経路
１１・・・磁気トラック
１５・８０・・・プリヘッド（磁気ヘッド）
１６・・・磁界発生器
２１・・・ヘッドケース
２２・・・ヘッド本体組
２３・・・非磁性部材
２９・・・第１ヘッド本体
３０・・・第２ヘッド本体
３１・・・第１ギャップ
３２・・・第１コア
３４・・・第１コイル
３８・・・第１腕部分
３９・・・巻回部分
４０・・・対向部
４１・・・接続部
４２・・・第２腕部分
５０・９８・・・回路
５１・・・第２ギャップ
５２・・・第２コア
５４・・・第２コイル
８３・・・第３ヘッド本体
８４・・・第４ヘッド本体
８８・・・第３コイル
９４・・・第４コイル
Ａ・・・読取位置
Ｂ・・・検出位置
Ｘ・・・前後方向（相対移動方向）
【図１】
2017182852.tif 000003
【図２】
2017182852.tif 000004
【図３】
2017182852.tif 000005
【図４】
2017182852.tif 000006